(57)【要約】【課題】水の浄化能力が極めて優れており、しかも、比較的簡単な構造で製造コストが非常に安価である水槽の浄化装置を提供する。【解決手段】本発明は、水槽に取り付けられる浄化装置であって、前記浄化装置は水を循環させるポンプ部と水を浄化する導水管部とを備え、前記導水管部の内部には濾過材が充填されている。また、前記濾過材は、断面が適形状のプラスチック棒材を軸方向に小ピッチで螺旋状に切り込み、適長に切断して形成してある。さらに、前記導水管部は、折り返し構造に形成され、端部にカバーが取り付けられている。また、前記ポンプ部には吐水パイプが設けられ、前記導水管部の吸水口にはフィルターが配置されている。【選択図】図１
2007044011.tif 000002
【特許請求の範囲】
【請求項１】
水槽に取り付けられる浄化装置であって、前記浄化装置は水を循環させるポンプ部と水を浄化する導水管部とを備え、
前記導水管部の内部には濾過材が充填されていることを特徴とする水槽の浄化装置。
【請求項２】
水槽内の下部に取り付けられる浄化装置であって、前記浄化装置は水を循環させるポンプ部と水を浄化する導水管部とを備え、
前記導水管部の内部には濾過材が充填されていることを特徴とする水槽の浄化装置。
【請求項３】
水槽の上部に取り付けられる浄化装置であって、前記浄化装置は前記浄化装置は水を循環させるポンプ部と水を浄化する導水管部とを備え、
前記導水管部の内部には濾過材が充填されていることを特徴とする水槽の浄化装置。
【請求項４】
水槽内の側部に取り付けられる浄化装置であって、前記浄化装置は前記浄化装置は水を循環させるポンプ部と水を浄化する導水管部とを備え、
前記導水管部の内部には濾過材が充填されていることを特徴とする水槽の浄化装置。
【請求項５】
前記濾過材は、断面が適形状のプラスチック棒材を軸方向に小ピッチで螺旋状に切り込み、適長に切断して形成した請求項１乃至請求項４のいずれかに記載の水槽の浄化装置。
【請求項６】
前記濾過材は、略扇型帯状に形成したプラスチック板部材を略Ｓ字型にジグザグ状に折曲し、複数回にわたって捻回折曲して全体形状が螺旋状になるように形成した請求項１乃至請求項４のいずれかに記載の水槽の浄化装置。
【請求項７】
前記導水管部は、折り返し構造に形成され、端部にカバーが取り付けられている請求項１乃至請求項４のいずれかに記載の水槽の浄化装置。
【請求項８】
前記ポンプ部には吐水パイプが設けられ、前記導水管部の吸水口にはフィルターが配置されている請求項１乃至請求項４のいずれかに記載の水槽の浄化装置。
【発明の詳細な説明】
【技術分野】
【０００１】
本発明は、家庭内で金魚や熱帯魚等を飼う場合に使用する、水槽の浄化装置に関するものである。
【背景技術】
【０００２】
従来において、水槽や池の水を浄化する場合には、砂や砂利、或いは、木炭等に水を通過させて浄化をしていたが、近年においてはバクテリアを利用した生物濾過が行なわれるようになってきた。このようなバクテリアを利用した生物濾過を利用するものとして、特開平１０−２４４２９０号公報に示すような水槽水の濾過装置が存在する。
【０００３】
この水槽水の濾過装置は、水槽本体の上に濾過装置本体を設置し、この濾過装置本体内に、物理的濾過手段及び好気性バクテリア着床用濾材が充填されたドライ濾過槽と、嫌気性バクテリア着床用濾材が充填されたウェット濾過槽とを設け、ドライ濾過槽及びウェット濾過槽の上方にシャワーパイプを配設し、ポンプにより水槽本体から水を吸い上げ、シャワーパイプによって散水した水の一部は、そのままドライ濾過槽を通過させて水槽本体に戻し、散水した水の残りの部分は、そのままウェット濾過槽を通過した後、ドライ濾過槽上に導入させ、ドライ濾過槽を通過させて水槽本体に戻すものである。
【特許文献１】特開平１０−２４４２９０号公報
【発明の開示】
【発明が解決しようとする課題】
【０００４】
しかしながら、上述した従来の水槽水の濾過装置では、バクテリアを濾過マット材等に付着させてバクテリアを繁殖させているが、この濾過マット材はフィルターにもなっているので、この濾過マット材を循環する水は通過するが、餌の残渣や鑑賞魚の排泄物等の有機物やアンモニア窒素を酸化分解する硝化菌を含む好気性バクテリアの繁殖に必要とする酸素が十分供給できないという問題があった。
【０００５】
また、この濾過マット材は繊維を利用したものが多く、この繊維でできたものは、餌の残渣や鑑賞魚の排泄物等の有機物が表面に付着して捨て圧がかかると、つぶれてしまうことがあり、このつぶれた部分の存在により濾過マット材に特定の誘導水路ができてしまい、濾過マット材の全体を有効に利用することができず、しかも、特定の誘導水路により汚れた水がそのまま通過してしまうので、却って水質を悪化させてしまうという問題が発生した。
【０００６】
そのため、このような水槽水の濾過装置は、定期的に掃除をする必要があるが、この装置の掃除を行なう場合には手間がかかって面倒であり、一般の家庭では使いにくいという問題があった。また、一般の家庭で使用するための濾過装置としてはその構造が複雑であり、製造コストが高くなっていた。
【０００７】
そこで、本発明は上述した従来の問題点に鑑みなされたもので、水の浄化能力が極めて優れており、しかも、比較的簡単な構造で製造コストが非常に安価である水槽の浄化装置を提供するものである。
【課題を解決するための手段】
【０００８】
本発明は、水槽に取り付けられる浄化装置であって、前記浄化装置は水を循環させるポンプ部と水を浄化する導水管部とを備え、前記導水管部の内部には濾過材が充填されていることで、上述した課題を解決した。
【０００９】
また、水槽内の下部に取り付けられる浄化装置であって、前記浄化装置は水を循環させるポンプ部と水を浄化する導水管部とを備え、前記導水管部の内部には濾過材が充填されていることで、同じく上述した課題を解決した。
【００１０】
さらに、水槽の上部に取り付けられる浄化装置であって、前記浄化装置は水を循環させるポンプ部と水を浄化する導水管部とを備え、前記導水管部の内部には濾過材が充填されていることで、同じく上述した課題を解決した。
【００１１】
また、水槽内の側部に取り付けられる浄化装置であって、前記浄化装置は水を循環させるポンプ部と水を浄化する導水管部とを備え、前記導水管部の内部には濾過材が充填されていることで、同じく上述した課題を解決した。
【００１２】
加えて、前記濾過材は、断面が適形状のプラスチック棒材を軸方向に小ピッチで螺旋状に切り込み、適長に切断して形成したことで、同じく上述した課題を解決した。
【００１３】
また、前記濾過材は、略扇型帯状に形成したプラスチック板部材を略Ｓ字型にジグザグ状に折曲し、複数回にわたって捻回折曲して全体形状が螺旋状になるように形成したことで、同じく上述した課題を解決した。
【００１４】
この他、前記導水管部は、折り返し構造に形成され、端部にカバーが取り付けられていることで、同じく上述した課題を解決した。
【００１５】
また、前記ポンプ部には吐水パイプが設けられ、前記導水管部の吸水口にはフィルターが配置されていることで、同じく上述した課題を解決した。
【発明の効果】
【００１６】
上述のように構成された水槽の浄化装置は、導水管部に水槽の水を導入して循環させると、餌の残渣や鑑賞魚の排泄物等の有機物は、濾過材の表面や細かい隙間に付着したり引っ掛かり、水だけが濾過材の粗い隙間を流れるので、水槽の水をきれいに浄化できる。
【００１７】
また、濾過材の表面に好気性バクテリアと嫌気性バクテリアが着床し、水槽の水の中にも好気性バクテリアと嫌気性バクテリアが存在することになるため、これらのバクテリアによっても水槽の水を極めて短時間のうちに浄化できる。
【００１８】
さらに、この水槽の浄化装置は、比較的簡単な構造であるので、製造コストが非常に安価である。また、浄化装置の取り付けは、水槽の底部や上側、または側部に単に置くだけなので、水槽を加工する必要がなく、水槽に浄化装置を極めて簡単に設置できる。
【００１９】
加えて、従来の水槽水の濾過装置のように、導水管部の中において目詰まりが生じて特定の誘導水路ができることもない。
【発明を実施するための最良の形態】
【００２０】
以下に、本発明に係る水槽の浄化装置を実施するための最良の形態を、図面に基づいて説明する。
【００２１】
図１は水槽内の下部に取り付けた浄化装置の構成を示す斜視図、図２は図１の水槽の浄化装置に使用する濾過材の構成を示す斜視図、図３は水槽の浄化装置における導水管部の構成を示す一部破断の斜視図、図４は水槽内の下部に取り付けた浄化装置の構成を示す斜視図、図５は水槽の上部に取り付けた浄化装置の構成を示す断面図、図６は水槽内の側部に取り付けた浄化装置の構成を示す斜視図である。
【００２２】
本発明に係る水槽１の浄化装置は、図１に示すように、浄化装置本体１０が水槽１内の下部に設置されたものである。この浄化装置本体１０は、水を循環させる動力であるポンプ部１１と、水を浄化する導水管部１２とを備えており、この導水管部１２の内部には濾過材１３が充填されている。
【００２３】
また、浄化装置本体１０のポンプ部１１には、濾過材１３が充填されている導水管部１２により浄化された水を水面に落下させて水槽１内に戻すための吐水パイプ１６が設けられている。さらに、導水管部１２の吸水口１７には、フィルター１４が配置されている。
【００２４】
この浄化装置本体１０のポンプ部１１には、図３に示すように、水中ポンプ１１ａが備えられており、矢印で示すように、この水中ポンプ１１ａで水槽１の汚れた水を吸水口１７からフィルター１４を通して吸い込み、この水を導水管部１２に送り込むものである。そして、吐水パイプ１６を通して再び水槽１内に送り込むので、ポンプ部１１には、この水を循環させるだけの能力を備えた水中ポンプ１１ａが取り付けられている。
【００２５】
また、導水管部１２は、図３に示すように、内部が折り返されて入口部１２ｃ、中間部１２ｂ、出口部１２ａを形成しており、ポンプ部１１によって送り込まれた水槽１の水は、矢印で示すように、濾過材１３が充填されている入口部１２ｃ、中間部１２ｂ、出口部１２ａを通過することにより浄化され、出口部１２ａの吐出口に設けられた吐水パイプ１６を通して再び水槽１内に戻されるものである。
【００２６】
出口部１２ａの開口端部とポンプ部１１は、図３に示すように、流水孔を備えたカバー１５Ａを介して接続されている。また、隣接している入口部１２ｃの開口端部と中間部１２ｂの開口端部は、カバー１５Ｂを介して接続されている。
【００２７】
カバー１５Ｂは、箱状に形成され、隣接している入口部１２ｃと中間部１２ｂの開口端部に挿入される脚部を備えている。この脚部には、一対の切り込みを設けている。この一対の切り込みは、隣接している入口部１２ｃと中間部１２ｂの当接壁を受け入れるものである。このカバー１５Ｂにより、入口部１２ｃの開口端部から流出した水が中間部１２ｂの開口端部に入り込むのである。なお、カバーＢの取り付けは、導水管部１２の一方だけではなく、反対側にも取り付けてよい。
【００２８】
水槽１の水を浄化する濾過材１３は、図２に示すように、断面が適形状のプラスチック棒材を軸方向に小ピッチで螺旋状に切り込み、適長に切断して形成したものである。この濾過材１３に対して、水槽１の汚れた水が接触しながら通過することにより、餌の残渣や鑑賞魚の排泄物等の有機物は、濾過材１３の表面に付着し、水だけが濾過材１３の粗い隙間を流れるので、導水管部１２の出口付近では浄化された水だけになるものである。
【００２９】
また、濾過材１３、略扇型帯状に形成したプラスチック板部材を略Ｓ字型にジグザグ状に折曲し、複数回にわたって捻回折曲して全体形状が螺旋状になるように形成したものであってもよい。
【００３０】
なお、導水管部１２は、図１に示すように、水槽１の手前側に吸水口１７を取り付け、水槽1の奥側に取り付けたポンプ部１１によって導水管部１２に水を送り込んでもよいし、また、図３に示すように、水槽１の奥側に吸水口１７を取り付け、水槽1の手前側に取り付けたポンプ部１１によって導水管部１２に水を送り込んでもよい。
【００３１】
この他、図４に示す水槽１の浄化装置は、浄化装置本体２０が水槽１内の下部に設置され、導水管部２２が平坦に折り返された構造となっている。すなわち、図４に示す導水管部２２は、長方形の筒状に形成された入口部２２ｃ、中間部２２ｂ、出口部２２ａが、倒れた平坦状態で折り返されている。これに対し、図１・図３に示す導水管部１２は、入口部１２ｃ、中間部１２ｂ、出口部１２ａが立った状態で折り返されている。
【００３２】
導水管部２２の内部には、濾過材１３が充填されている。このように構成された浄化装置本体２０は、前述の浄化装置本体１０と同様に、水槽１の汚れた水を吸水口１７から内部のフィルター１４を通して吸い込み、この水を導水管部２２内の濾過材１３で浄化し、ポンプ部１１の吐水パイプ１６を通して再び水槽１内に送り込むものでる。
【００３３】
また、図５に示す水槽１の浄化装置は、浄化装置本体３０が水槽１の上部に取り付けられている。この浄化装置本体３０は、水を循環させるポンプ部３１と水を浄化する導水管部３２とを備え、この導水管部３２の内部には濾過材１３が充填されている。
【００３４】
ポンプ部３１は、フィルター３３を内蔵し、水槽１の汚れた水を吸水口３４から内部のフィルター３３を通して吸い込むものである。吸い込まれた水は、パイプ３５を介して導水管部３２に送り込まれる。
【００３５】
導水管部３２は、図５に示すように、下段に入口部３２ｃ、中段に中間部３２ｂ、上段に出口部３２ａが配置され、ポンプ部３１によって送り込まれた水槽1の水は、矢印で示すように、濾過材１３が充填されている入口部３２ｃ、中間部３２ｂ、出口部３２ａを通過することにより浄化され、出口部３２ａに連通している吐水パイプ３６を通して再び水槽１内に戻されるものである。
【００３６】
この浄化装置本体３０は、水槽１の上部に取り付けられるものなので、その設置は水槽１の上に置くだけでよく、水槽１に穿孔などの特別な加工の必要がなく、極めて簡単に設置できるものである。
【００３７】
さらに、図６に示す水槽1の浄化装置は、浄化装置本体４０が水槽1内の側部に取り付けられている。この浄化装置本体４０は、水を循環させるポンプ部１１１と水を浄化する導水管部４２とを備え、この導水管部４２の内部には濾過材1３が充填されている。
【００３８】
この浄化装置本体４０は、水槽１内の側部に取り付けられるものなので、その設置は水槽１内に置くだけで、極めて簡単に設置できるものである。
【００３９】
尚、本発明に係る水槽１の浄化装置は、上述した実施の形態に限定されるものではなく、特許請求の範囲内で様々な態様を採用できることは勿論である。
【００４０】
例えば、導水管部１２、２２、３２、４２の折り返し回数は３回〜４回に限定されるものではなく、何回でも折り返しが可能である。
【産業上の利用可能性】
【００４１】
本発明は、水の浄化能力が極めて優れており、しかも、比較的簡単な構造で製造コストが非常に安価である水槽の浄化装置として、種々の分野で広く利用されるものである。
【図面の簡単な説明】
【００４２】
【図１】水槽内の下部に取り付けた浄化装置の構成を示す斜視図である。
【図２】水槽の浄化装置に使用する濾過材の構成を示す斜視図である。
【図３】水槽の浄化装置における導水管部の構成を示す一部破断の斜視図である。
【図４】水槽内の下部に取り付けた浄化装置の構成を示す断面図である。
【図５】水槽の上部に取り付けた浄化装置の構成を示す断面図である。
【図６】水槽内の側部に取り付けた浄化装置の構成を示す斜視図である。
【符号の説明】
【００４３】
１      水槽
１０      浄化装置本体
１１      ポンプ部
１１ａ      水中ポンプ
１２      導水管部
１２ａ      出口部
１２ｂ      中間部
１２ｃ      入口部
１３      濾過材
１４      フィルター
１５Ａ      カバー
１５Ｂ      カバー
１６      吐水パイプ
１７      吸水口
２０      浄化装置本体
２２      導水管部
２２ａ      出口部
２２ｂ      中間部
２２ｃ      入口部
３０      浄化装置本体
３１      ポンプ部
３２      導水管部
３２ａ      出口部
３２ｂ      中間部
３２ｃ      入口部
３３      フィルター
３４      吸水口
３５      パイプ
３６      吐水パイプ
４０      浄化装置本体
４２      導水管部
【図１】
2007044011.tif 000003
【図２】
2007044011.tif 000004
【図３】
2007044011.tif 000005
【図４】
2007044011.tif 000006
【図５】
2007044011.tif 000007
【図６】
2007044011.tif 000008